(57)【特許請求の範囲】
【請求項１】
データのＭＣＳ（Modulation and Coding Scheme）を設定するＭＣＳ設定部と、
前記データを符号化する符号化部と、
符号化された前記データのうち、送信すべき送信データの開始位置を示すＲＶパラメータを示すＲＶ情報のビット数を、符号化された前記データに対する前記ＲＶパラメータの制御粒度に応じて設定し、前記ＲＶパラメータを設定するＲＶパラメータ設定部と、
前記ＭＣＳと前記ＲＶ情報とを含む制御情報、及び、前記送信データを、送信する送信処理部と、
を備え、
前記ＲＶ情報のビット数が２の場合、前記ＲＶパラメータは、０、１、２、３のいずれかに設定され、前記ＲＶ情報の前記ビット数が０の場合、前記制御情報は前記ＲＶ情報を含まず、前記ＲＶパラメータは０に設定される、
無線通信装置。
【請求項２】
前記ビット数は、前記データの符号化率に応じて設定される、
請求項１に記載の無線通信装置。
【請求項３】
前記ビット数は、前記データの符号化率が小さいほど少ない、
請求項１又は２に記載の無線通信装置。
【請求項４】
前記ビット数は、前記データの符号化率が所定値以下の場合に、０に設定される、
請求項１から３のいずれか一項に記載の無線通信装置。
【請求項５】
当該無線通信装置は複数のコードワードを用いて通信を行い、
前記複数のコードワード毎に前記ビット数が設定され、前記ビット数は、前記複数のコードワードにおいて、符号化率が小さいコードワードほど少ない、
請求項１から４のいずれか一項に記載の無線通信装置。
【請求項６】
前記複数のコードワードにおけるＲＶ情報のビット総数は一定である、
請求項５に記載の無線通信装置。
【請求項７】
前記複数のコードワードにおいて、符号化率が所定値以下のコードワードの前記ビット数が０に設定される、
請求項５又は６に記載の無線通信装置。
【請求項８】
当該無線通信装置は複数のコードワード毎に、一つ又は複数のストリームを用いて通信を行い、
前記複数のコードワード毎に前記ビット数が設定され、前記ビット数は、前記複数のコードワードにおいて、初回送信時のストリーム数が少ないコードワードほど少ない、
請求項１から７のいずれか一項に記載の無線通信装置。
【請求項９】
前記複数のコードワードにおける前記ＲＶ情報のビット総数が一定である、
請求項８に記載の無線通信装置。
【請求項１０】
前記複数のコードワードにおいて、初回送信時のストリーム数が所定値以下のコードワードの前記ビット数が０に設定される、
請求項８又は９に記載の無線通信装置。
【請求項１１】
前記ＲＶパラメータ設定部は、前記データの再送回数に応じて、前記ＲＶパラメータを変える、
請求項１から１０のいずれか一項に記載の無線通信装置。
【請求項１２】
初回送信時には、前記ＲＶパラメータは０に設定される、
請求項１から１１のいずれか一項に記載の無線通信装置。
【請求項１３】
前記ＲＶパラメータは、値に応じて、異なる前記開始位置を示す、
請求項１から１２のいずれか一項に記載の無線通信装置。
【請求項１４】
前記ＲＶパラメータが０の場合に示す前記開始位置は、前記データの先頭により近い位置である、
請求項１から１３のいずれか一項に記載の無線通信装置。
【請求項１５】
前記ＲＶパラメータが０の場合に示す前記開始位置の送信データは、システマチックビットをより多く含む、
請求項１から１４のいずれか一項に記載の無線通信装置。
【請求項１６】
データのＭＣＳ（Modulation and Coding Scheme）を設定する工程と、
前記データを符号化する工程と、
符号化された前記データのうち、送信すべき送信データの開始位置を示すＲＶパラメータを示すＲＶ情報のビット数を、符号化された前記データに対する前記ＲＶパラメータの制御粒度に応じて設定し、前記ＲＶパラメータを設定する工程と、
前記ＭＣＳと前記ＲＶ情報とを含む制御情報、及び、前記送信データを送信する工程と、
を有し、
前記ＲＶ情報のビット数が２の場合、前記ＲＶパラメータは、０、１、２、３のいずれかに設定され、前記ＲＶ情報の前記ビット数が０の場合、前記制御情報は前記ＲＶ情報を含まず、前記ＲＶパラメータは０に設定される、
無線通信方法。
【請求項１７】
データのＭＣＳ（Modulation and Coding Scheme）を設定する処理と、
前記データを符号化する処理と、
符号化された前記データのうち、送信すべき送信データの開始位置を示すＲＶパラメータを示すＲＶ情報のビット数を、符号化された前記データに対する前記ＲＶパラメータの制御粒度に応じて設定し、前記ＲＶパラメータを設定する処理と、
前記ＭＣＳと前記ＲＶ情報とを含む制御情報、及び、前記送信データを、送信する処理と、
を制御し、
前記ＲＶ情報のビット数が２の場合、前記ＲＶパラメータは、０、１、２、３のいずれかに設定され、前記ＲＶ情報の前記ビット数が０の場合、前記制御情報は前記ＲＶ情報を含まず、前記ＲＶパラメータは０に設定される、
集積回路。
【発明の詳細な説明】
【技術分野】
【０００１】
本発明は、セルラーシステム等の無線通信システムに適用可能な無線通信装置に関し、特に、再送制御機能を持つ無線通信装置、無線通信方法及び集積回路に関する。
【背景技術】
【０００２】
近年、無線通信において、伝搬路符号化と再送合成を組み合わせた再送制御方式は、限られた周波数帯域を有効に利用し高速伝送を実現するシステムとして注目されている。再送制御方式における伝搬路符号化と再送合成との組み合わせとして、パンクチャにより柔軟な符号化率設定の可能なTurbo符号と、再送発生時にパンクチャしたパリティビットを少しずつ追加するＩＲ（Incremental Redundancy）方式の組み合わせが有効である。このような再送制御方式は、厳密にはHybrid ARQ（ＨＡＲＱ）と呼ばれるが、以下では簡単のため「再送制御」と記載する。
【０００３】
非特許文献１には、適応的フィードバックによる誤り訂正方法として、ＩＲを用いることによって誤り訂正能力を向上させる技術が開示されている。また、次世代セルラーシステムの規格である３ＧＰＰ−ＬＴＥ（3rd Generation Partnership Project Long Term Evolution）では、リダンダンシーバージョン（Redundancy Version、以後、ＲＶと記載）などの再送データの定義を簡単化するために、ＣＢＲＭ（Circular Buffer based Rate-Matching）が検討されている（非特許文献２参照）。ＣＢＲＭとは、巡回読出型バッファであるCircular Bufferに蓄積されたTurbo符号語を、ある任意の開始地点からバッファのアドレス順に巡回読出することにより、ＲＶを定義するというレートマッチング方法のことである。
【０００４】
伝搬路符号化と再送合成を組み合わせた再送制御の動作例を、図１５を用いて簡単に説明する。図１５は再送制御における送信データとＲＶパラメータ設定の関係の具体例を示す図であり、符号化率Ｒ＝５／６の場合のＩＲバッファのイメージを示している。ＩＲを用いた再送制御では、再送時に再送データの開始位置を示すＲＶパラメータを設定し、送信側でＲＶパラメータで指定される開始位置からのデータを再送データとして送信するとともに、このＲＶパラメータを受信側へ通知する。
【０００５】
送信側における送信データ生成に際し、送信すべき情報が含まれるシステマチックビット（図中にＳと表記）にTurbo符号化を施してパリティビット（図中にＰと表記）を生成し、ＩＲバッファに格納する。これらのＩＲバッファ内の符号化データのうち、パリティビットに一定の規則でパンクチャ処理を行って符号化データの一部を取り出して送信する。初回送信時は、ＩＲバッファ中で図中左端をデータ開始位置と定める。
【０００６】
図１５では、２ビットでＲＶパラメータを表現し、合計４箇所のデータ開始位置（図中白丸で記載）を設けた構成の例を示している。この場合、初回送信では、ＲＶ＝０とし、既定の物理リソースで送信可能な総ビット数を用いて、先頭位置からシステマチックビットＳとパリティビットＰの一部の信号を送信する。ここで、ＩＲバッファ内の符号化データのうち、残りのデータは未送信データとして扱われる。受信側からＮａｃｋ信号がフィードバックされ、再送を行う場合は、２回目の送信データとしてＲＶ＝２を設定し、左から３番目の開始位置よりＩＲバッファ中のデータを取り出し、初回送信と同一のビット数を用いて信号を送信する。以降同様に、３回目の送信時はＲＶ＝１、４回目の送信時はＲＶ＝３を設定して、図１５に示すようにそれぞれの開始位置からＩＲバッファ中のデータが取り出されて送信される。
【０００７】
また、セルラーシステム等の無線通信システムでは、受信品質などに応じて変調方式と符号化率（ＭＣＳ：Modulation and Coding Scheme）を適応的に可変する適応ＭＣＳ制御が検討されている。適応ＭＣＳ制御においては、符号化後のビット列をパンクチャまたはレピティションすることにより符号化率を可変としている。
【先行技術文献】
【非特許文献】
【０００８】
【非特許文献１】David M. Mandelbaum, "An adaptive-feedback coding scheme using incremental redundancy", Information Theory, IEEE Transactions on, May 1974, P.388-389
【非特許文献２】R1-072604, "Way forward on HARQ rate matching for LTE", Ericsson, et al., 3GPP TSG-RAN WG1 RAN1#49 寄書, 2007/05
【発明の概要】
【発明が解決しようとする課題】
【０００９】
上記の適応ＭＣＳ制御及び再送制御を導入することによって、伝搬路状況に応じた柔軟なパラメータ設定によりスループット向上の効果を得ることが可能である。しかしながら、適応ＭＣＳ制御適用時の再送制御用のシグナリングにおいては、符号化率の大きいデータを有効に活用するため、複数のデータ始点を表現するＲＶパラメータ設定とする必要がある一方で、符号化率の小さいデータでは、このＲＶパラメータ設定を有効に活用できないという課題がある。
【００１０】
図１６は符号化率を変化させた場合の再送制御における送信データとＲＶパラメータ設定の関係の具体例を示す図であり、（ａ）は符号化率Ｒ＝５／６の場合、（ｂ）は符号化率Ｒ＝１／４の場合のＩＲバッファのイメージをそれぞれ示したものである。
【００１１】
図１６（ａ）のように、符号化率がＲ＝５／６と大きい場合は、初回送信時にパンクチャ処理によって未送信としたパリティビットを有効に活用するために、２ビット程度のＲＶパラメータ設定とする必要がある。これに対し、図１６（ｂ）のように、符号化率がＲ＝１／４と小さい場合は、初回送信時にパリティビットのレピティションが行われ、全ての符号化データが送信されることになる。このため、符号化率が大きい場合のＲＶパラメータ設定をそのまま符号化率が小さい場合のデータに適用すると、２ビット用意したＲＶパラメータの設定値によらず、同じデータを繰り返し送信することになり、毎回ＲＶ＝０に設定するのと同様になる。したがって、ＲＶパラメータのリソースが無駄になり、スループット低減につながるという課題がある。
【００１２】
本発明は、上記事情に鑑みてなされたもので、再送制御に関するパラメータの送信に用いるリソースを削減でき、再送制御用のシグナリングのオーバヘッドを小さくしてスループットを向上させることが可能な無線通信装置、無線通信方法及び集積回路を提供することを目的とする。
【課題を解決するための手段】
【００１３】
本発明は、データのＭＣＳ（Modulation and Coding Scheme）を設定するＭＣＳ設定部と、前記データを符号化する符号化部と、符号化された前記データのうち、送信すべき送信データの開始位置を示すＲＶパラメータを示すＲＶ情報のビット数を、符号化された前記データに対する前記ＲＶパラメータの制御粒度に応じて設定し、前記ＲＶパラメータを設定するＲＶパラメータ設定部と、前記ＭＣＳと前記ＲＶ情報とを含む制御情報、及び、前記送信データを、送信する送信処理部と、を備え、前記ＲＶ情報のビット数が２の場合、前記ＲＶパラメータは、０、１、２、３のいずれかに設定され、前記ＲＶ情報の前記ビット数が０の場合、前記制御情報は前記ＲＶ情報を含まず、前記ＲＶパラメータは０に設定される、無線通信装置を提供する。
【００１４】
本発明は、データのＭＣＳ（Modulation and Coding Scheme）を設定する工程と、前記データを符号化する工程と、符号化された前記データのうち、送信すべき送信データの開始位置を示すＲＶパラメータを示すＲＶ情報のビット数を、符号化された前記データに対する前記ＲＶパラメータの制御粒度に応じて設定し、前記ＲＶパラメータを設定する工程と、前記ＭＣＳと前記ＲＶ情報とを含む制御情報、及び、前記送信データを送信する工程と、を有し、前記ＲＶ情報のビット数が２の場合、前記ＲＶパラメータは、０、１、２、３のいずれかに設定され、前記ＲＶ情報の前記ビット数が０の場合、前記制御情報は前記ＲＶ情報を含まず、前記ＲＶパラメータは０に設定される、無線通信方法を提供する。
【００１５】
本発明は、データのＭＣＳ（Modulation and Coding Scheme）を設定する処理と、前記データを符号化する処理と、符号化された前記データのうち、送信すべき送信データの開始位置を示すＲＶパラメータを示すＲＶ情報のビット数を、符号化された前記データに対する前記ＲＶパラメータの制御粒度に応じて設定し、前記ＲＶパラメータを設定する処理と、前記ＭＣＳと前記ＲＶ情報とを含む制御情報、及び、前記送信データを、送信する処理と、を制御し、前記ＲＶ情報のビット数が２の場合、前記ＲＶパラメータは、０、１、２、３のいずれかに設定され、前記ＲＶ情報の前記ビット数が０の場合、前記制御情報は前記ＲＶ情報を含まず、前記ＲＶパラメータは０に設定される、集積回路を提供する。
【発明の効果】
【００１６】
本発明によれば、再送制御に関するパラメータの送信に用いるリソースを削減でき、再送制御用のシグナリングのオーバヘッドを小さくしてスループットを向上させることが可能な無線通信装置、無線通信方法及び集積回路を提供できる。
【図面の簡単な説明】
【００１７】
【図１】本発明の実施形態に係る通信システムにおける信号伝送の概略を示す図
【図２】本発明の第１の実施形態におけるＲＶパラメータの設定例を模式的に示す図
【図３】本発明の第１の実施形態で用いる送信装置の主要部の構成を示すブロック図
【図４】本発明の第１の実施形態で用いる受信装置の主要部の構成を示すブロック図
【図５】第１の実施形態における送信装置と受信装置との間の通信に関する全体処理の手順の具体例を示すシーケンス図
【図６】第１の実施形態における符号化率に応じたＲＶパラメータ用ビット数の設定例を示す図
【図７】第１の実施形態におけるＲＶパラメータの設定例を示す図
【図８】本発明の第２の実施形態におけるＲＶパラメータの設定例を模式的に示す図
【図９】本発明の第２の実施形態で用いる送信装置の主要部の構成を示すブロック図
【図１０】本発明の第２の実施形態で用いる受信装置の主要部の構成を示すブロック図
【図１１】第２の実施形態における符号化率に応じたＲＶパラメータ用ビット数の設定例を示す図
【図１２】本発明の第３の実施形態におけるＲＶパラメータの設定例を模式的に示す図
【図１３】本発明の第３の実施形態で用いる送信装置の主要部の構成を示すブロック図
【図１４】本発明の第３の実施形態で用いる受信装置の主要部の構成を示すブロック図
【図１５】再送制御における送信データとＲＶパラメータ設定の関係の具体例を示す図
【図１６】符号化率を変化させた場合の再送制御における送信データとＲＶパラメータ設定の関係の具体例を示す図
【発明を実施するための形態】
【００１８】
本実施形態では、本発明に係る無線通信装置、無線通信方法及び集積回路を携帯電話等の移動体通信用のセルラーシステムに適用した例を示す。ここでは、無線基地局（ＢＳ：Base Station）が送信装置となり、移動局のユーザ端末（ＵＥ：User Equipment）が受信装置となる無線通信システムにおいて、Turbo符号による伝搬路符号化とＩＲ方式の再送合成とを組み合わせた再送制御（ＨＡＲＱ）を行う場合を例示する。再送制御に関する再送制御用パラメータとして、ＩＲ方式において再送データの開始位置を示すＲＶパラメータの設定方法を説明する。
【００１９】
（第１の実施形態）
図１は本発明の実施形態に係る通信システムにおける信号伝送の概略を示す図である。送信装置となる無線基地局１０１は、受信装置となるユーザ端末１０２に対してデータ送信を行い、ユーザ端末１０２は、受信データの復号結果の可否によって応答信号としてＡｃｋ（Acknowledgement）またはＮａｃｋ（Negative Acknowledgement）を返信する。無線基地局１０１は、初回送信データまたは再送データに対してユーザ端末１０２からＮａｃｋの応答信号を受けた場合に、再送を行い、次の再送データを送信する。この際、ＩＲ方式を採用し、システマチックビットにパリティビットを付加した符号化データのうち、再送時には異なる開始位置のデータを送信することによって再送合成利得を得るようにしている。無線基地局１０１は、制御信号として、ＭＣＳ、送信回数、再送制御用パラメータとしてのＲＶパラメータなどを含む制御情報を有する信号をユーザ端末１０２へ通知する。ユーザ端末１０２は、無線基地局１０１から通知された制御信号の情報を用いて、再送データの合成、復号を行う。
【００２０】
図２は本発明の第１の実施形態におけるＲＶパラメータの設定例を模式的に示す図であり、ＩＲバッファのイメージを表したものである。第１の実施形態では、符号化率を可変とした適応ＭＣＳ制御を想定した再送制御方法を採用する場合に、初回送信時の符号化率が小さいほど、ＲＶパラメータのシグナリングに用いるビット数を少なくする。
【００２１】
例えば、図１の設定例に示すように、符号化率ＲがＲ＞２／３と大きい場合、ＲＶパラメータのビット数を２ビットに設定し、符号化率Ｒが１／３＜Ｒ≦２／３の場合、ＲＶパラメータのビット数を１ビットに設定し、符号化率ＲがＲ≦１／３と小さい場合、ＲＶパラメータのビット数を０ビットに設定する。
【００２２】
このように、初回送信時の符号化率が小さいほどＲＶパラメータのビット数を少なく設定することによって、符号化率の小さいデータにおけるＲＶパラメータ用のリソースの無駄を省くことができる。つまり、符号化率が小さくＲＶパラメータの制御粒度が粗くても良い場合に、ＲＶパラメータ用シグナリングのオーバヘッドを小さくできる。したがって、適応ＭＣＳ制御及び再送制御を適用する際に、再送制御用のシグナリングのオーバヘッドを小さくしてスループットを向上させることができ、再送制御を良好な特性で実現可能となる。
【００２３】
次に、第１の実施形態に係る無線通信システムの送信装置及び受信装置の具体例の構成を説明する。
【００２４】
図３は本発明の第１の実施形態で用いる送信装置の主要部の構成を示すブロック図、図４は本発明の第１の実施形態で用いる受信装置の主要部の構成を示すブロック図である。
【００２５】
本実施形態では、図３に示した送信装置と図４に示した受信装置との間で電波を用いて無線通信を行う場合を想定している。例えば、携帯電話等の移動体通信の通信サービスを提供するセルラーシステムの無線通信基地局装置（無線基地局、ＢＳ）に図３に示す送信装置を適用し、携帯電話装置などの無線通信移動局装置であるユーザ端末（ＵＥ）に図４に示す受信装置を適用することが想定される。
【００２６】
図３に示す送信装置は、符号化部３１１と、レート・マッチング部３１２と、ＲＶパラメータ用ビット数設定部３１３と、制御信号生成部３１４と、多重部３１５と、送信ＲＦ部３１６と、アンテナ３１７と、受信ＲＦ部３１８と、分離部３１９と、復調・復号部３２０と、ＣＲＣ検査部３２１と、Ａｃｋ／Ｎａｃｋ信号復調部３２２と、ＣＱＩ復調部３２３と、スケジューリング部３２４とを備えている。
【００２７】
通信相手装置（例えば図４に示す受信装置）から送信される電波は、アンテナ３１７により受信される。アンテナ３１７で受信された電波の高周波信号は、受信ＲＦ部３１８でベースバンド信号などの比較的低い周波数帯の信号に変換された後、分離部３１９に入力される。分離部３１９は、受信信号からフィードバック信号を分離し、フィードバック信号に含まれるＣＱＩ（Channel Quality Indicator）情報やＡｃｋ／Ｎａｃｋ情報等を抽出して出力する。分離したフィードバック信号のうち、Ａｃｋ／Ｎａｃｋ情報はＡｃｋ／Ｎａｃｋ信号復調部３２２に入力され、ＣＱＩ情報はＣＱＩ復調部３２３に入力される。
【００２８】
復調・復号部３２０は、分離部３１９で分離された受信信号の復調処理、復号処理を行い、受信したデータを復元する。ＣＲＣ検査部３２１は、復調・復号部３２０から出力される復号後の信号に対しＣＲＣ（Cyclic Redundancy Check）検査による誤り検出処理を施し、復号後の受信データに誤りが含まれているかどうかを判定する。そして、ＣＲＣ検査部３２１より受信データが出力される。
【００２９】
Ａｃｋ／Ｎａｃｋ信号復調部３２２は、分離部３１９から出力されるＡｃｋ／Ｎａｃｋ情報を復調し、受信装置における受信信号復調結果の可否を示すＡｃｋ／Ｎａｃｋ信号をスケジューリング部３２４に出力する。ＣＱＩ復調部３２３は、分離部３１９から出力されるＳＩＮＲ（Signal to Interference and Noise Ratio）等によるＣＱＩ情報を復調し、受信装置において測定された伝搬路品質測定結果（受信品質）を示すＣＱＩ値をスケジューリング部３２４に出力する。スケジューリング部３２４は、Ａｃｋ／Ｎａｃｋ信号復調部３２２から出力されるＡｃｋ／Ｎａｃｋ信号、ＣＱＩ復調部３２３から出力されるＣＱＩ値に基づき、スケジューリング処理を行い、再送の有無、送信回数等を含む再送情報、送信信号の変調方式、符号化率等を含むＭＣＳ情報、ＲＶパラメータ、ＲＶパラメータ用ビット数等を含むＲＶパラメータ情報などを出力する。なお、スケジューリング部３２４から出力される再送情報、ＭＣＳ情報、ＲＶパラメータ情報などの送信信号に関する各種情報は送信パラメータと呼ぶこともある。
【００３０】
符号化部３１１は、送信データの符号化処理を行ってレート・マッチング部３１２に出力する。レート・マッチング部３１２は、変調多値数や符号化率を適応的に設定するレート・マッチング処理を行い、多重部３１５に出力する。ここで、符号化部３１１及びレート・マッチング部３１２は、スケジューリング部３２４から出力されるＭＣＳ、ＲＶパラメータ等に基づいて符号化処理、レート・マッチング処理を行う。レート・マッチング部３１２には、ＩＲバッファが設けられ、符号化データをＩＲバッファに格納し、再送時にＲＶパラメータで指定される開始位置より伝送レート及び符号化率に応じた所定量のデータを再送データとして読み出して出力する。受信装置では、再送データ及び初回送信データを用いてＩＲ方式による再送合成処理が行われる。
【００３１】
ＲＶパラメータ用ビット数設定部３１３は、スケジューリング部３２４より初回送信時のＭＣＳ情報を受信し、ＭＣＳ情報のうちの符号化率を用いて、初回送信時の符号化率に基づいてＲＶパラメータ用ビット数を決定する。また、スケジューリング部３２４よりＭＣＳ情報及び再送情報を受信し、前記決定したＲＶパラメータ用ビット数と当該データの送信回数とに基づき、送信回数に応じて適切な開始位置となるＲＶパラメータを設定する。これらのＲＶパラメータ用ビット数及びＲＶパラメータは、制御信号生成部３１４、符号化部３１１及びレート・マッチング部３１２に入力される。ＲＶパラメータ用ビット数やＲＶパラメータの設定処理の具体例については後述する。
【００３２】
制御信号生成部３１４は、ＲＶパラメータ用ビット数設定部３１３からのＲＶパラメータ用ビット数及びＲＶパラメータに基づき、再送制御に関するパラメータとしてのＲＶパラメータ情報を含む制御信号を生成して多重部３１５に出力する。この制御信号には、再送情報、ＭＣＳ情報なども含まれる。
【００３３】
多重部３１５は、符号化された送信データを含む送信信号、ＲＶパラメータ情報を含む制御信号等を多重処理する。そして、変調処理等を行って送信信号を生成し、送信信号を送信ＲＦ部３１６に出力する。送信ＲＦ部３１６では、送信信号についてシリアル／パラレル変換、逆フーリエ変換等の処理が行われた後、所定の無線周波数帯の高周波信号に変換され、電力増幅された後にアンテナ３１７から電波として送信される。送信装置からの送信信号は、パイロット信号、制御信号、及び各種データを含むデータ信号などとして受信装置に伝送される。
【００３４】
上記構成において、ＣＱＩ復調部３２３が伝搬路品質取得部の機能を実現する。また、スケジューリング部３２４がＭＣＳ設定部及び再送制御部の機能を実現する。また、ＲＶパラメータ用ビット数設定部３１３がパラメータビット数設定部及び再送制御用パラメータ設定部の機能を実現する。また、レート・マッチング部３１２、多重部３１５、及び送信ＲＦ部３１６が送信処理部の機能を実現する。
【００３５】
一方、図４に示す受信装置は、アンテナ４３１と、受信ＲＦ部４３２と、チャネル推定部４３３と、制御信号復調部４３４と、復調部４３５と、復号部４３６と、ＲＶパラメータ識別部４３７と、初回ＭＣＳ保存部４３８と、尤度保存部４３９と、ＣＲＣ検査部４４０と、ＳＩＮＲ測定部４４１と、フィードバック情報生成部４４２と、Ａｃｋ／Ｎａｃｋ生成部４４３と、符号化部４４４と、多重部４４５と、送信ＲＦ部４４６とを備えている。
【００３６】
通信相手装置（例えば図３に示す送信装置）から送信される電波は、アンテナ４３１により受信される。アンテナ４３１で受信された電波の高周波信号は、受信ＲＦ部４３２でベースバンド信号などの比較的低い周波数帯の信号に変換された後、フーリエ変換、パラレル／シリアル変換等の処理が行われてシリアルデータの受信信号に変換される。受信ＲＦ部４３２の出力は、チャネル推定部４３３、制御信号復調部４３４、復調部４３５に入力される。
【００３７】
チャネル推定部４３３は、通信相手装置（送信装置）の送信アンテナから送信される信号に含まれているパイロット信号に基づいてチャネル推定を実施し、チャネル推定値を算出する。算出されたチャネル推定値は復調部４３５、ＳＩＮＲ測定部４４１に入力される。制御信号復調部４３４は、パイロット信号とともに送信される制御信号を復調し、再送の有無、送信回数等を含む再送情報、送信信号の変調方式、符号化率等を含むＭＣＳ情報、ＲＶパラメータを含むＲＶパラメータ情報などの制御情報を抽出する。復調された制御信号は、復調部４３５、ＲＶパラメータ識別部４３７、Ａｃｋ／Ｎａｃｋ生成部４４３、多重部４４５に入力される。
【００３８】
復調部４３５は、チャネル推定部４３３から受け取ったチャネル推定値を用いて自装置（自身の受信装置）に対応する受信信号の復調処理を行う。そして、デインターリーブ処理、変調多値数や符号化率が送信側と一致するようにレート・デマッチング処理等を行い、復調後の受信信号を復号部４３６に出力する。ＲＶパラメータ識別部４３７は、制御信号復調部４３４から受け取った初回送信時のＭＣＳ情報を、初回送信時の符号化率の情報として、初回ＭＣＳ保存部４３８に出力して格納させる。また、この初回送信時のＭＣＳ情報に基づき、初回送信時の符号化率によってＲＶパラメータ用ビット数を算出して識別する。そして、ＲＶパラメータ識別部４３７は、前記算出したＲＶパラメータ用ビット数と制御信号復調部４３４から出力されるＲＶパラメータ情報に基づき、該当ビット数のリソースに割り当てられたＲＶパラメータを復調して識別し、復号部４３６に出力する。尤度保存部４３９は、過去の受信信号の尤度情報を保存する。
【００３９】
復号部４３６は、復調部４３５から入力される受信信号について復号処理を行って受信データを復元する。この際、再送がなされた場合は、ＲＶパラメータ識別部４３７から受け取ったＲＶパラメータに基づき、ＩＲ方式による再送合成処理を行う。すなわち、再送時の復号部４３６は、尤度保存部４３９に保存された過去の受信信号の尤度情報と現在の受信信号の尤度情報とを合成する尤度合成処理等を行い、復号後の受信データをＣＲＣ検査部４４０に出力する。ＣＲＣ検査部４４０は、復号部４３６から出力される復号後の信号に対しＣＲＣ検査による誤り検出処理を施し、復号後の受信データに誤りが含まれているかどうかを示すデータエラーの有無情報をＡｃｋ／Ｎａｃｋ生成部４４３に出力する。そして、ＣＲＣ検査部４４０より受信データが出力される。
【００４０】
ＳＩＮＲ測定部４４１は、チャネル推定部４３３によるチャネル推定値に基づいてパイロット信号の受信状態を検出し、伝搬路品質測定結果として、通信相手装置（送信装置）から伝送される信号のＳＩＮＲを算出する。算出されたＳＩＮＲは、フィードバック情報生成部４４２に入力される。このＳＩＮＲは、所望信号に関する伝搬路品質を表す情報であるＣＱＩ値に対応するものとなる。フィードバック情報生成部４４２は、ＣＱＩ情報を含むフィードバック情報を生成し、多重部４４５に出力する。
【００４１】
Ａｃｋ／Ｎａｃｋ生成部４４３は、ＣＲＣ検査部４４０での誤り検出結果に基づき、復号した受信データに誤りが含まれているかどうかを判断し、Ａｃｋ／Ｎａｃｋ信号を生成して多重部４４５に出力する。ここで、復号結果に誤りが含まれていなければＡｃｋを生成し、復号結果に誤りが含まれていればＮａｃｋを生成する。
【００４２】
符号化部４４４は、送信データの符号化処理を行って多重部４４５に出力する。多重部４４５は、入力したフィードバック情報、Ａｃｋ／Ｎａｃｋ信号、符号化された送信データを含む送信信号等を多重処理する。そして、変調多値数や符号化率を適応的に設定するレート・マッチング処理、変調処理等を行って送信信号を生成し、送信ＲＦ部４４６に出力する。送信ＲＦ部４４６では、送信信号についてシリアル／パラレル変換、逆フーリエ変換等の処理が行われた後、所定の無線周波数帯の高周波信号に変換され、電力増幅された後にアンテナ４３１から電波として送信される。このとき、受信装置から送信されるＣＱＩ情報やＡｃｋ／Ｎａｃｋ信号の応答信号等を含むフィードバック情報は、フィードバック信号として送信装置に伝送される。
【００４３】
上記構成において、ＳＩＮＲ測定部４４１及びフィードバック情報生成部４４２が伝搬路品質通知部の機能を実現する。また、受信ＲＦ部４３２、復調部４３５、及び制御信号復調部４３４が受信処理部の機能を実現する。また、初回ＭＣＳ保存部４３８が制御情報格納部の機能を実現する。また、ＲＶパラメータ識別部４３７が再送制御用パラメータ復調部の機能を実現する。
【００４４】
次に、本実施形態において、図３に示した送信装置と図４に示した受信装置との間で通信する場合の処理手順について、図５を参照しながら以下に説明する。図５は第１の実施形態における送信装置と受信装置との間の通信に関する全体処理の手順の具体例を示すシーケンス図である。
【００４５】
ステップＳ１：送信装置は、送信ＲＦ部３１６、アンテナ３１７を介してパイロットチャネルを受信装置へ送信する。
【００４６】
ステップＳ２：受信装置は、送信装置から送られてきたパイロットチャネルをアンテナ４３１、受信ＲＦ部４３２を介して受信し、チャネル推定部４３３で伝搬路のチャネル推定を行い、パイロットチャネルの受信状態を観測する。そして、パイロットチャネルのチャネル推定値を用いて、ＳＩＮＲ測定部４４１によりＳＩＮＲを測定して算出する。
【００４７】
ステップＳ３：受信装置は、フィードバック情報生成部４４２において、前記算出したＳＩＮＲによるＣＱＩ情報を含むフィードバック情報を生成し、多重部４４５、送信ＲＦ部４４６、アンテナ４３１を介してフィードバック情報を送信装置へ送信することで、伝搬路品質を表すＣＱＩ情報（ＳＩＮＲ）を報告する。
【００４８】
ステップＳ４：送信装置は、受信装置からのフィードバック情報をアンテナ３１７、受信ＲＦ部３１８を介して受信し、分離部３１９、ＣＱＩ復調部３２３によりＣＱＩ情報を復調する。そして、スケジューリング部３２４において、受信装置からフィードバックされたパイロットチャネルのＣＱＩ情報（ＳＩＮＲ）を基に、変調方式、符号化率等を含むＭＣＳを設定する。
【００４９】
ステップＳ５：送信装置は、ＲＶパラメータ用ビット数設定部３１３において、前記設定したＭＣＳに基づいてＲＶパラメータ用ビット数を決定する。
【００５０】
ここで、本実施形態の送信装置において特徴的な動作の一つである、ステップＳ５におけるＲＶパラメータ用ビット数の決定動作について詳しく説明する。ＲＶパラメータ用ビット数設定部３１３は、スケジューリング部３２４より通信相手装置（受信装置）向けのＭＣＳ（初回送信時のＭＣＳ）を受け取り、初回送信時の符号化率に基づいてＲＶパラメータ用ビット数を決定する。また、ＲＶパラメータ用ビット数設定部３１３は、スケジューリング部３２４より再送情報を受け取り、送信回数（ここでは初回送信）に応じて、初回送信用のデータ開始位置となるようＲＶパラメータを設定する。そして、ＲＶパラメータ用ビット数設定部３１３は、決定したＲＶパラメータ用ビット数と、ＲＶパラメータとを制御信号生成部３１４に出力する。
【００５１】
ステップＳ６：送信装置は、制御信号生成部３１４において、前記決定したＲＶパラメータ用ビット数設定部３１３からのＲＶパラメータ用ビット数及びＲＶパラメータに基づき、ＲＶパラメータ情報を含む制御信号を生成する。この制御信号には、ＭＣＳや送信回数の情報が含まれる。
【００５２】
ステップＳ７：送信装置は、ステップＳ４で設定したＭＣＳに基づいて符号化部３１１、レート・マッチング部３１２、多重部３１５にて処理を行い、該当受信装置向けの送信データを生成する。
【００５３】
ステップＳ８：送信装置は、受信装置へパイロットチャネル、制御信号、データ信号をそれぞれ送信する。
【００５４】
ステップＳ９：受信装置は、ステップＳ２と同様にＳＩＮＲ測定部４４１によりパイロットチャネルの受信状態からＳＩＮＲを測定して算出する。
【００５５】
ステップＳ１０：受信装置は、制御信号復調部４３４において制御信号を復調し、ＭＣＳ情報を取り出す。ここで、ＲＶパラメータ識別部４３７において、初回送信時のＭＣＳ情報を初回ＭＣＳ保存部４３８に出力して格納しておく。
【００５６】
ステップＳ１１：受信装置は、チャネル推定部４３３により受信信号のチャネル推定値を求め、復調部４３５において、ステップＳ１０で取り出したＭＣＳを用いて受信データを復調することによって受信処理を行う。
【００５７】
ステップＳ１２：受信装置は、復号部４３６において、ステップＳ１１で復調した受信データに誤り訂正復号の処理を施す。
【００５８】
ステップＳ１３：受信装置は、ＣＲＣ検査部４４０において、ステップＳ１２の誤り訂正復号後の受信データに対して誤り検出処理を行う。
【００５９】
ステップＳ１４：受信装置は、Ａｃｋ／Ｎａｃｋ生成部４４３において、ステップＳ１３での誤り検出結果により、対応するＡｃｋ／Ｎａｃｋ信号を生成する。
【００６０】
ステップＳ１５：受信装置は、ステップＳ９で算出したＳＩＮＲの情報を含むフィードバック情報をフィードバック情報生成部４４２で生成し、このＳＩＮＲとステップＳ１４で生成したＡｃｋ／Ｎａｃｋ信号とを送信装置へフィードバックして報告する。
【００６１】
ステップＳ１６：送信装置は、Ａｃｋ／Ｎａｃｋ信号復調部９２２において受信装置からフィードバックされたＡｃｋ／Ｎａｃｋ信号を復調する。
【００６２】
ステップＳ１７：送信装置は、ＲＶパラメータ用ビット数設定部３１３において、ステップＳ１６で復調したＡｃｋ／Ｎａｃｋ信号に応じて、Ｎａｃｋを検出して再送を行う場合に、再送データの開始位置を決定し、そのデータ開始位置を示すＲＶパラメータを設定する。
【００６３】
ここで、本実施形態の送信装置において特徴的な動作の一つである、ステップＳ１７におけるＲＶパラメータの設定動作について詳しく説明する。まず、スケジューリング部３２４は、Ｎａｃｋ信号を受け取った場合に、再送が必要と判断し、ＲＶパラメータ用ビット数設定部３１３に向けて該当する受信装置に設定した初回送信時のＭＣＳと送信回数（例えば２回目（再送１回目）の送信）を出力する。ＲＶパラメータ用ビット数設定部３１３は、初回送信時のＭＣＳと送信回数とを受け取り、ステップＳ５で決定した初回送信時の符号化率に基づくＲＶパラメータ用ビット数を参照し、このＲＶパラメータ用ビット数と該当データの送信回数とに基づいて残りの未送信データをより多く送信できるような再送用のデータ開始位置を示すＲＶパラメータを設定する。そして、ＲＶパラメータ用ビット数設定部３１３は、設定したＲＶパラメータを制御信号生成部３１４に出力する。
【００６４】
ステップＳ１８：送信装置は、制御信号生成部３１４において前記設定したＲＶパラメータ情報、ＭＣＳ情報、及び送信回数を含む制御信号を生成する。
【００６５】
ステップＳ１９：送信装置は、ステップＳ４で設定したＭＣＳ及びステップＳ１７で設定したＲＶパラメータに基づき、レート・マッチング部３１２、多重部３１５にて処理を行い、該当受信装置向けの送信データ（再送データ）を生成する。
【００６６】
ステップＳ２０：送信装置は、受信装置へパイロットチャネル、制御信号、データ信号をそれぞれ送信する。
【００６７】
ステップＳ２１：受信装置は、ステップＳ９と同様にＳＩＮＲ測定部４４１によりパイロットチャネルの受信状態からＳＩＮＲを測定して算出する。
【００６８】
ステップＳ２２：受信装置は、制御信号復調部４３４において制御信号を復調し、ＭＣＳ情報及びＲＶパラメータ情報、送信回数を取り出す。そして、ＲＶパラメータ識別部４３７において前記ＲＶパラメータ情報から今回送信時のＲＶパラメータを復調して識別する。
【００６９】
ここで、本実施形態の受信装置において特徴的な動作の一つである、ステップＳ２２におけるＲＶパラメータの識別動作について詳しく説明する。ＲＶパラメータ識別部４３７は、まず上記したステップＳ１０での初回送信時において、制御信号復調部４３４から受け取った初回送信時のＭＣＳ情報を初回ＭＣＳ保存部４３８に格納させる。そして、ＲＶパラメータ識別部４３７は、制御信号復調部４３４から送信回数を受け取り、再送の場合には、初回ＭＣＳ保存部４３８に記憶してある初回送信時のＭＣＳ情報を参照し、初回送信時の符号化率によってＲＶパラメータ用ビット数を算出する。次いで、ＲＶパラメータ識別部４３７は、前記算出したＲＶパラメータ用ビット数に基づき、該当ビット数のリソースに割り当てられた今回送信時のＲＶパラメータを復調して識別し、このＲＶパラメータを復号部４３６に出力する。なお、ＲＶパラメータ識別部４３７において初回送信時のＭＣＳ情報に基づいてＲＶパラメータ用ビット数を算出し、初回ＭＣＳ保存部４３８には初回送信時のＭＣＳ情報の代わりにＲＶパラメータ用ビット数の情報を保存するようにしてもよい。
【００７０】
ステップＳ２３：受信装置は、チャネル推定部４３３により受信信号のチャネル推定値を求め、復調部４３５において、ステップＳ２２で取り出したＭＣＳを用いて受信データ（再送データ）を復調することによって受信処理を行う。
【００７１】
ステップＳ２４：受信装置は、復号部４３６及び尤度保存部４３９により、ステップ１３で誤りを検出した初回送信時の受信データに対して、再送時の受信データを用いて、ステップＳ２２で取得したＲＶパラメータに応じた尤度合成処理を施す。この際、ＲＶパラメータに基づき、送信回数毎のそれぞれのデータ開始位置を認識し、初回送信時と再送時のデータを合成する。
【００７２】
ステップＳ２５：受信装置は、復号部４３６において、ステップＳ２４で尤度合成した受信データに誤り訂正復号の処理を施す。
【００７３】
ステップＳ２６：受信装置は、ＣＲＣ検査部４４０において、ステップＳ２５の誤り訂正復号後の受信データに対して誤り検出処理を行う。そして、Ａｃｋ／Ｎａｃｋ生成部４４３において、誤り検出結果に応じてＡｃｋ／Ｎａｃｋ信号を生成する。
【００７４】
ステップＳ２７：受信装置は、ステップＳ２１で算出したＳＩＮＲの情報を含むフィードバック情報をフィードバック情報生成部４４２で生成し、このＳＩＮＲとステップＳ２６で生成したＡｃｋ／Ｎａｃｋ信号とを送信装置へフィードバックして報告する。
【００７５】
次に、第１の実施形態におけるＲＶパラメータ用ビット数及びＲＶパラメータの設定の具体例を説明する。図６は符号化率に応じたＲＶパラメータ用ビット数の設定例を示す図、図７はＲＶパラメータの設定例を示す図である。
【００７６】
本実施形態では、図６に示す設定例のように、初回送信時の符号化率Ｒが２／３より大きい（２／３＜Ｒ）場合はＲＶパラメータ用ビット数を２に設定し、初回送信時の符号化率Ｒが１／３より大きく２／３以下（１／３＜Ｒ≦２／３）の場合はＲＶパラメータ用ビット数を１に設定する。また、初回送信時の符号化率Ｒが１／３以下（Ｒ≦１／３）の場合はＲＶパラメータ用ビット数を０に設定する。
【００７７】
例えば、送信装置において、受信装置からフィードバックされたＣＱＩ情報（ＳＩＮＲ）に応じて初回送信時の符号化率ＲをＲ＝５／６とした場合、ＲＶパラメータ用ビット数設定部３１３は、ＲＶパラメータ用ビット数を２ビットと一意に決定する。図７は符号化率Ｒ＝５／６の場合の２ビットのＲＶパラメータの設定例をＩＲバッファのイメージにおいて示したものである。
【００７８】
初回送信時はＲＶパラメータをＲＶ＝０とし、符号化データの先頭からシステマチックビットとパリティビットの一部とを送信する。そして、初回送信データの復調結果としてＮａｃｋを受信した場合、スケジューリング部３２４は、２回目の送信（再送１回目）でＩＲバッファ中の未送信データをより多く送信できるよう、ＲＶ＝２を選択して設定する。以降、さらに復調結果としてＮａｃｋを受信して３回目以降の送信（再送２回目以降）を行う場合も同様に、未送信データをより多く送信できるようＲＶパラメータをＲＶ＝１、３と順に設定する。
【００７９】
上述したように、第１の実施形態では、受信側で測定した伝搬路品質測定結果に応じてＭＣＳを設定し、初回送信時のＭＣＳにおける符号化率に応じて、再送制御用のＲＶパラメータのビット数を設定する。この際、初回送信時の符号化率が小さいほど、ＲＶパラメータのビット数を少なく設定する。これにより、符号化率が小さくＲＶパラメータの制御粒度が粗くても良い場合に、ＲＶパラメータを通知するためのシグナリングのリソースを削減でき、ＲＶパラメータ用シグナリングのオーバヘッドを小さくできる。この結果として、再送制御用のリソースの無駄を省くことができ、スループットを向上できる。
【００８０】
（第２の実施形態）
図８は本発明の第２の実施形態におけるＲＶパラメータの設定例を模式的に示す図であり、ＩＲバッファのイメージを表したものである。第２の実施形態では、ＭＣＳの制御単位であるデータ系列を表すコードワード（ＣＷ：Codeword）として、複数コードワードを用いた構成例を示す。ここでは、ＭＩＭＯ（Multiple-Input Multiple-Output）を採用した無線通信システムに適用した構成を例示する。
【００８１】
第２の実施形態においては、複数コードワードを用いる適応ＭＣＳ制御を想定した再送制御方法を採用する場合に、初回送信時の符号化率が小さいコードワードほど、ＲＶパラメータのシグナリングに用いるビット数を少なくする。
【００８２】
例えば、図８の設定例に示すように、２つのコードワードを用いる場合、第１のコードワード（ＣＷ１）においては、変調方式が１６ＱＡＭで符号化率ＲがＲ＝３／４と大きいため、ＲＶパラメータのビット数を２ビットに設定する。一方、第２のコードワード（ＣＷ２）においては、変調方式がＱＰＳＫで符号化率ＲがＲ＝１／２と小さいため、ＲＶパラメータのビット数を０ビットに設定する。これにより、符号化率が大きくてＲＶパラメータについてより柔軟な設定が必要となるＣＷ１において、ＲＶパラメータのビット数を大きくとって自由度を高め、柔軟な再送制御の設定を可能としたまま、ＣＷ２においてＲＶパラメータのビット数を０ビットと小さくすることで、両方のコードワード共に２ビットとした場合に比べて、２つのコードワード全体において合計２ビットのＲＶパラメータ用シグナリングのオーバヘッドを削減可能である。
【００８３】
このように、初回送信時の符号化率が小さいコードワードほどＲＶパラメータのビット数を少なく設定することによって、符号化率の小さいコードワードにおけるＲＶパラメータ用のリソースの無駄を省くことができる。この場合、未送信データの多い初回送信時の符号化率が大きいコードワードについては柔軟な再送制御の設定を可能としたまま、ＲＶパラメータの自由度を下げても影響の小さいコードワードに用いる下り方向のＲＶパラメータ用シグナリングのリソースを少なくできる。したがって、複数コードワード用再送制御のシグナリングオーバヘッドを小さくすることが可能となる。
【００８４】
次に、第２の実施形態に係る無線通信システムの送信装置及び受信装置の具体例の構成を説明する。
【００８５】
図９は本発明の第２の実施形態で用いる送信装置の主要部の構成を示すブロック図、図１０は本発明の第２の実施形態で用いる受信装置の主要部の構成を示すブロック図である。
【００８６】
第２の実施形態では、図９に示した送信装置と図１０に示した受信装置との間で電波を用いて無線通信を行う場合を想定している。例えば、携帯電話等の移動体通信の通信サービスを提供するセルラーシステムの無線通信基地局装置（無線基地局、ＢＳ）に図９に示す送信装置を適用し、携帯電話装置などの無線通信移動局装置であるユーザ端末（ＵＥ）に図１０に示す受信装置を適用することが想定される。また、ここでは送受信双方で複数のアンテナを使用して無線送受信を行うＭＩＭＯシステムを構成することを前提としている。なお、通信信号の形態としては、例えば、ＯＦＤＭ（Orthogonal Frequency Division Multiplexing：直交周波数分割多重）信号によるマルチキャリア通信方式で通信を行い、パケット単位で順次に送信する場合などが想定される。
【００８７】
図９に示す送信装置は、符号化部９１１と、レート・マッチング部９１２と、コードワード間ＲＶパラメータ用ビット数調整部９１３と、制御信号生成部９１４と、ＭＩＭＯ多重部９１５と、複数の送信ＲＦ部９１６ａ、９１６ｂと、複数のアンテナ９１７ａ、９１７ｂと、受信ＲＦ部９１８と、分離部９１９と、復調・復号部９２０と、ＣＲＣ検査部９２１と、Ａｃｋ／Ｎａｃｋ信号復調部９２２と、ＣＱＩ復調部９２３と、スケジューリング部９２４と、コードワード毎ＲＶパラメータ用ビット数保存部９２５とを備えている。
【００８８】
通信相手装置（例えば図１０に示す受信装置）から送信される電波は、アンテナ９１７ｂにより受信される。アンテナ９１７ｂで受信された電波の高周波信号は、受信ＲＦ部９１８でベースバンド信号などの比較的低い周波数帯の信号に変換された後、分離部９１９に入力される。分離部９１９は、受信信号からフィードバック信号を分離し、フィードバック信号に含まれる各コードワードのＣＱＩ情報やＡｃｋ／Ｎａｃｋ情報等を抽出して出力する。分離したフィードバック信号のうち、各コードワードのＡｃｋ／Ｎａｃｋ情報はＡｃｋ／Ｎａｃｋ信号復調部９２２に入力され、ＣＱＩ情報はＣＱＩ復調部９２３に入力される。
【００８９】
復調・復号部９２０は、分離部９１９で分離された受信信号の復調処理、復号処理を行い、受信したデータを復元する。ＣＲＣ検査部９２１は、復調・復号部９２０から出力される復号後の信号に対しＣＲＣ検査による誤り検出処理を施し、復号後の受信データに誤りが含まれているかどうかを判定する。そして、ＣＲＣ検査部９２１より受信データが出力される。
【００９０】
Ａｃｋ／Ｎａｃｋ信号復調部９２２は、分離部９１９から出力されるＡｃｋ／Ｎａｃｋ情報を復調し、受信装置における各コードワードの受信信号復調結果の可否を示すＡｃｋ／Ｎａｃｋ信号をスケジューリング部９２４に出力する。ＣＱＩ復調部９２３は、分離部９１９から出力されるＳＩＮＲ等によるＣＱＩ情報を復調し、受信装置における各コードワードの伝搬路品質測定結果（受信品質）を示すＣＱＩ値をスケジューリング部９２４に出力する。スケジューリング部９２４は、Ａｃｋ／Ｎａｃｋ信号復調部９２２から出力される各コードワードのＡｃｋ／Ｎａｃｋ信号、ＣＱＩ復調部９２３から出力される各コードワードのＣＱＩ値に基づき、複数コードワードのスケジューリング処理を行い、再送の有無、送信回数等を含む再送情報、送信信号の変調方式、符号化率等を含むＭＣＳ情報、ＲＶパラメータ、ＲＶパラメータ用ビット数等を含むＲＶパラメータ情報などを送信パラメータとして出力する。また、スケジューリング部９２４は、前記ＭＣＳ情報及び再送情報に基づき、コードワード毎に、コードワード間ＲＶパラメータ用ビット数調整部９１３で決定されるＲＶパラメータ用ビット数と当該データの送信回数とに基づき、送信回数に応じて適切な開始位置となるＲＶパラメータを設定する。
【００９１】
符号化部９１１は、複数コードワードの送信データの符号化処理を行ってレート・マッチング部９１２に出力する。レート・マッチング部９１２は、変調多値数や符号化率を適応的に設定するレート・マッチング処理を行い、ＭＩＭＯ多重部９１５に出力する。ここで、符号化部９１１及びレート・マッチング部９１２は、スケジューリング部９２４から出力されるＭＣＳ、ＲＶパラメータ等に基づいて符号化処理、レート・マッチング処理を行う。レート・マッチング部９１２には、コードワード毎のＩＲバッファが設けられ、複数コードワードの符号化データをそれぞれＩＲバッファに格納し、再送時にＲＶパラメータで指定される開始位置より伝送レート及び符号化率に応じた所定量のデータを再送データとして読み出して出力する。受信装置では、コードワード毎に再送データ及び初回送信データを用いてＩＲ方式による再送合成処理が行われる。
【００９２】
コードワード間ＲＶパラメータ用ビット数調整部９１３は、スケジューリング部９２４より初回送信時のＭＣＳ情報を受信し、各コードワードのＭＣＳ情報のうちの符号化率を用いて、初回送信時の符号化率に基づいてＲＶパラメータ用ビット数をコードワード間で調整して決定する。この際、複数コードワードにおけるＲＶパラメータ用ビット数の総数を一定に保ちつつ、コードワード間で初回送信時の符号化率を比較し、相対的に符号化率の小さいコードワードほどＲＶパラメータ用ビット数が少なくなるよう、各コードワードのＲＶパラメータ用ビット数を設定する。設定した各コードワードのＲＶパラメータ用ビット数は、制御信号生成部９１４に出力されるとともに、コードワード毎ＲＶパラメータ用ビット数保存部９２５に入力されて保存される。また、コードワード間ＲＶパラメータ用ビット数調整部９１３は、スケジューリング部９２４よりＲＶパラメータを受け取り、制御信号生成部９１４に出力する。
【００９３】
制御信号生成部９１４は、コードワード間ＲＶパラメータ用ビット数調整部９１３からのＲＶパラメータ用ビット数及びＲＶパラメータに基づき、再送制御に関するパラメータとしてのＲＶパラメータ情報を含む制御信号を生成してＭＩＭＯ多重部９１５に出力する。この制御信号には、再送情報、ＭＣＳ情報なども含まれる。
【００９４】
ＭＩＭＯ多重部９１５は、符号化された複数コードワードの送信データを含む送信信号、ＲＶパラメータ情報を含む制御信号等を多重処理する。そして、変調処理等を行って複数のアンテナに出力するそれぞれの送信信号を分離生成し、それぞれの送信信号を送信ＲＦ部９１６ａ、９１６ｂに出力する。送信ＲＦ部９１６ａ、９１６ｂでは、送信信号についてシリアル／パラレル変換、逆フーリエ変換等の処理が行われた後、所定の無線周波数帯の高周波信号に変換され、電力増幅された後に独立した複数のアンテナ９１７ａ、９１７ｂからそれぞれ電波として送信される。送信装置からの送信信号は、パイロット信号、制御信号、及び各種データを含むデータ信号などとして受信装置に伝送される。
【００９５】
上記構成において、ＣＱＩ復調部９２３が伝搬路品質取得部の機能を実現する。また、スケジューリング部９２４がＭＣＳ設定部、再送制御部、及び再送制御用パラメータ設定部の機能を実現する。また、コードワード間ＲＶパラメータ用ビット数調整部９１３がパラメータビット数設定部の機能を実現する。また、レート・マッチング部９１２、ＭＩＭＯ多重部９１５、及び送信ＲＦ部９１６ａ、９１６ｂが送信処理部の機能を実現する。
【００９６】
一方、図１０に示す受信装置は、複数のアンテナ１０３１ａ、１０３１ｂと、複数の受信ＲＦ部１０３２ａ、１０３２ｂと、チャネル推定部１０３３と、制御信号復調部１０３４と、ＭＩＭＯ復調部１０３５と、復号部１０３６と、ＲＶパラメータ識別部１０３７と、初回ＭＣＳ保存部１０３８と、尤度保存部１０３９と、ＣＲＣ検査部１０４０と、ＳＩＮＲ測定部１０４１と、フィードバック情報生成部１０４２と、Ａｃｋ／Ｎａｃｋ生成部１０４３と、符号化部１０４４と、多重部１０４５と、送信ＲＦ部１０４６とを備えている。
【００９７】
通信相手装置（例えば図９に示す送信装置）から送信される電波は、独立した複数のアンテナ１０３１ａ、１０３１ｂによりそれぞれ受信される。アンテナ１０３１ａで受信された電波の高周波信号は、受信ＲＦ部１０３２ａでベースバンド信号などの比較的低い周波数帯の信号に変換された後、フーリエ変換、パラレル／シリアル変換等の処理が行われてシリアルデータの受信信号に変換される。同様に、アンテナ１０３１ｂで受信された電波の高周波信号は、受信ＲＦ部１０３２ｂでベースバンド信号などの比較的低い周波数帯の信号に変換された後、フーリエ変換、パラレル／シリアル変換等の処理が行われてシリアルデータの受信信号に変換される。これらの受信ＲＦ部１０３２ａ、１０３２ｂの出力は、チャネル推定部１０３３、制御信号復調部１０３４、ＭＩＭＯ復調部１０３５に入力される。
【００９８】
チャネル推定部１０３３は、通信相手装置（送信装置）の各送信アンテナから送信される信号に含まれているパイロット信号に基づいてチャネル推定を実施し、チャネル推定値を算出する。算出されたチャネル推定値はＭＩＭＯ復調部１０３５、ＳＩＮＲ測定部１０４１に入力される。制御信号復調部１０３４は、パイロット信号とともに送信される制御信号を復調し、再送の有無、送信回数等を含む再送情報、送信信号の変調方式、符号化率等を含むＭＣＳ情報、ＲＶパラメータを含むＲＶパラメータ情報などを抽出する。復調された制御信号は、ＭＩＭＯ復調部１０３５、ＲＶパラメータ識別部１０３７、Ａｃｋ／Ｎａｃｋ生成部１０４３、多重部１０４５に入力される。
【００９９】
ＭＩＭＯ復調部１０３５は、チャネル推定部１０３３から受け取ったチャネル推定値を用いて自装置（自身の受信装置）に対応する受信信号の復調処理を行う。そして、デインターリーブ処理、変調多値数や符号化率が送信側と一致するようにレート・デマッチング処理等を行い、復調後の複数コードワードの受信信号を復号部１０３６に出力する。ＲＶパラメータ識別部１０３７は、制御信号復調部１０３４から受け取った初回送信時のＭＣＳ情報を初回ＭＣＳ保存部１０３８に出力して格納させる。また、この初回送信時のＭＣＳ情報に基づき、初回送信時の符号化率によって各コードワードのＲＶパラメータ用ビット数を算出する。そして、ＲＶパラメータ識別部１０３７は、前記算出したＲＶパラメータ用ビット数と制御信号復調部１０３４から出力されるＲＶパラメータ情報に基づき、該当ビット数のリソースに割り当てられた各コードワードのＲＶパラメータを復調して識別し、復号部１０３６に出力する。尤度保存部１０３９は、各コードワードの過去の受信信号の尤度情報を保存する。
【０１００】
復号部１０３６は、ＭＩＭＯ復調部１０３５から入力される各コードワードの受信信号について復号処理を行って受信データを復元する。この際、再送がなされた場合は、コードワード毎に、ＲＶパラメータ識別部１０３７から受け取ったＲＶパラメータに基づき、ＩＲ方式による再送合成処理を行う。すなわち、再送時の復号部１０３６は、尤度保存部１０３９に保存された各コードワードの過去の受信信号の尤度情報と現在の受信信号の尤度情報とを合成する尤度合成処理等を行い、復号後の複数コードワードの受信データをＣＲＣ検査部１０４０に出力する。ＣＲＣ検査部１０４０は、復号部１０３６から出力される復号後の各コードワードの信号に対しＣＲＣ検査による誤り検出処理を施し、復号後の受信データに誤りが含まれているかどうかを示すデータエラーの有無情報をＡｃｋ／Ｎａｃｋ生成部１０４３に出力する。そして、ＣＲＣ検査部１０４０より複数コードワードの受信データが出力される。
【０１０１】
ＳＩＮＲ測定部１０４１は、チャネル推定部１０３３によるチャネル推定値に基づいてパイロット信号の受信状態を検出し、通信相手装置（送信装置）から伝送されるアンテナ毎の各コードワードのＳＩＮＲを算出する。算出された各コードワードのＳＩＮＲは、フィードバック情報生成部１０４２に入力される。このＳＩＮＲは、所望信号に関する伝搬路品質を表す情報であるＣＱＩ値に対応するものとなる。フィードバック情報生成部１０４２は、各コードワードのＣＱＩ情報を含むフィードバック情報を生成し、多重部１０４５に出力する。
【０１０２】
Ａｃｋ／Ｎａｃｋ生成部１０４３は、ＣＲＣ検査部１０４０での各コードワードの誤り検出結果に基づき、復号した各コードワードの受信データに誤りが含まれているかどうかを判断し、コードワード毎のＡｃｋ／Ｎａｃｋ信号を生成して多重部１０４５に出力する。ここで、復号結果に誤りが含まれていなければＡｃｋを生成し、復号結果に誤りが含まれていればＮａｃｋを生成する。
【０１０３】
符号化部１０４４は、送信データの符号化処理を行って多重部１０４５に出力する。多重部１０４５は、入力したフィードバック情報、Ａｃｋ／Ｎａｃｋ信号、符号化された送信データを含む送信信号等を多重処理する。そして、変調多値数や符号化率を適応的に設定するレート・マッチング処理、変調処理等を行って送信信号を生成し、送信ＲＦ部１０４６に出力する。送信ＲＦ部１０４６では、送信信号についてシリアル／パラレル変換、逆フーリエ変換等の処理が行われた後、所定の無線周波数帯の高周波信号に変換され、電力増幅された後にアンテナ１０３１ａから電波として送信される。このとき、受信装置から送信される各コードワードのＣＱＩ情報やＡｃｋ／Ｎａｃｋ信号の応答信号等を含むフィードバック情報は、フィードバック信号として送信装置に伝送される。
【０１０４】
上記構成において、ＳＩＮＲ測定部１０４１及びフィードバック情報生成部１０４２が伝搬路品質通知部の機能を実現する。また、受信ＲＦ部１０３２ａ、１０３２ｂ、ＭＩＭＯ復調部１０３５、及び制御信号復調部１０３４が受信処理部の機能を実現する。また、初回ＭＣＳ保存部１０３８が制御情報格納部の機能を実現する。また、ＲＶパラメータ識別部１０３７が再送制御用パラメータ復調部の機能を実現する。
【０１０５】
次に、本実施形態の送信装置において特徴的な動作の一つである、複数コードワードにおけるＲＶパラメータの設定動作について詳しく説明する。
【０１０６】
複数コードワードにおけるＲＶパラメータ用ビット数を設定する際、コードワード間ＲＶパラメータ用ビット数調整部９１３は、ＲＶパラメータ用ビット数の総数を一定に保ちつつ、コードワード間で初回送信時の符号化率を比較し、相対的に符号化率の小さいコードワードほどＲＶパラメータ用ビット数が少なくなるよう、各コードワードのＲＶパラメータ用ビット数を設定する。そして、設定した各コードワードのＲＶパラメータ用ビット数の値をコードワード毎ＲＶパラメータ用ビット数保存部９２５に出力して保存させる。
【０１０７】
スケジューリング部９２４は、各コードワードの再送時に、コードワード毎ＲＶパラメータ用ビット数保存部９２５に格納されているＲＶパラメータ用ビット数を参照して、該当するコードワードのＲＶパラメータを設定する。なお、コードワード間ＲＶパラメータ用ビット数調整部９１３において各コードワードのＲＶパラメータを設定するようにしてもよい。また、制御信号生成部９１４は、スケジューリング部９２４からコードワード間ＲＶパラメータ用ビット数調整部９１３を介して受け取ったＲＶパラメータに基づき、コードワード間ＲＶパラメータ用ビット数調整部９１３が指示するビット数を元に、ＲＶパラメータ情報を含む制御信号を生成する。
【０１０８】
また、本実施形態の受信装置において特徴的な動作の一つである、複数コードワードにおけるＲＶパラメータの識別動作について詳しく説明する。
【０１０９】
ＲＶパラメータ識別部１０３７は、初回送信時において、制御信号復調部１０３４から受け取った各コードワードの初回送信時のＭＣＳ情報を初回ＭＣＳ保存部１０３８に格納させる。そして、ＲＶパラメータ識別部１０３７は、制御信号復調部１０３４から送信回数を受け取り、再送の場合には、初回ＭＣＳ保存部１０３８に記憶してある初回送信時のＭＣＳ情報を参照し、初回送信時の符号化率によって各コードワードのＲＶパラメータ用ビット数を算出する。次いで、ＲＶパラメータ識別部１０３７は、前記算出したＲＶパラメータ用ビット数に基づき、コードワード毎に、該当ビット数のリソースに割り当てられた今回送信時のＲＶパラメータを復調して識別し、このＲＶパラメータを復号部１０３６に出力する。なお、ＲＶパラメータ識別部１０３７において初回送信時のＭＣＳ情報に基づいてＲＶパラメータ用ビット数を算出し、初回ＭＣＳ保存部１０３８には初回送信時のＭＣＳ情報の代わりにＲＶパラメータ用ビット数の情報を保存するようにしてもよい。
【０１１０】
次に、第２の実施形態におけるＲＶパラメータ用ビット数の設定の具体例を説明する。コードワードが２つの場合、例えば前述した図８の例のように、ＲＶパラメータ用ビット数の総数を２ビットとし、符号化率の大きいコードワードのＲＶパラメータ用ビット数を２ビット、符号化率の小さいコードワードのＲＶパラメータ用ビット数を０ビットとする。
【０１１１】
図１１は符号化率に応じたＲＶパラメータ用ビット数の設定例を示す図であり、コードワードが３つの場合の例を示している。ここでは、例１及び例２共にＲＶパラメータ用ビット数の総数を７ビットとしている。
【０１１２】
例１では、符号化率Ｒ＝０．７５と最も符号化率が大きい第１のコードワード（ＣＷ１）のＲＶパラメータ用ビット数を４ビットとし、符号化率Ｒ＝０．５０と符号化率が２番目に大きい第３のコードワード（ＣＷ３）のＲＶパラメータ用ビット数を２ビットとし、符号化率Ｒ＝０．３３と符号化率が最も小さい第２のコードワード（ＣＷ２）のＲＶパラメータ用ビット数を１ビットとして設定する。例２では、符号化率Ｒ＝０．８０と最も符号化率が大きい第１のコードワード（ＣＷ１）のＲＶパラメータ用ビット数を４ビットとし、符号化率Ｒ＝０．７５と符号化率が２番目に大きい第２のコードワード（ＣＷ２）のＲＶパラメータ用ビット数を２ビットとし、符号化率Ｒ＝０．５０と符号化率が最も小さい第３のコードワード（ＣＷ３）のＲＶパラメータ用ビット数を１ビットとして設定する。
【０１１３】
また、上記例ではコードワード間の符号化率の順位に応じて相対的にＲＶパラメータ用ビット数を決定する例を挙げたが、第１の実施形態と同様にコードワード毎で個別に符号化率に応じたビット数設定とした後に、全コードワードでのＲＶパラメータ用ビット数の合計が所定のビット数となるよう調整することもできる。
【０１１４】
上述したように、第２の実施形態では、複数コードワードを用いた適応ＭＣＳ制御において、各コードワードの伝搬路品質測定結果に応じてＭＣＳを設定し、初回送信時のＭＣＳにおける符号化率に応じて、各コードワードの再送制御用のＲＶパラメータのビット数を設定する。この際、初回送信時の符号化率が小さいコードワードほど、ＲＶパラメータのビット数を少なく設定する。これにより、未送信データの多い初回送信時の符号化率が大きいコードワードにはＲＶパラメータのビット数を多く割り当てて柔軟な再送制御の設定を可能としたまま、ＲＶパラメータの自由度を下げても影響の小さいコードワードに用いるＲＶパラメータ通知のためのシグナリングのリソースを削減でき、複数コードワードのＲＶパラメータ用シグナリングのオーバヘッドを小さくできる。この結果として、複数コードワード使用時の再送制御用のリソースの無駄を省くことができ、スループットを向上できる。
【０１１５】
（第３の実施形態）
図１２は本発明の第３の実施形態におけるＲＶパラメータの設定例を模式的に示す図であり、ＩＲバッファのイメージを表したものである。第３の実施形態では、第２の実施形態の複数コードワードを用いる場合において、さらに１つのコードワードにおいて複数のストリーム（信号）を送信する場合の構成例を示す。
【０１１６】
第３の実施形態においては、複数コードワードを用いる適応ＭＣＳ制御を想定した再送制御方法を採用する場合に、初回送信時のストリーム数が少ないコードワードほど、ＲＶパラメータのシグナリングに用いるビット数を少なくする。
【０１１７】
例えば、図１２の設定例に示すように、２つのコードワードを用いて、第１のコードワード（ＣＷ１）では２つのストリームを送信し、第２のコードワード（ＣＷ２）では１つのストリームを送信する場合を想定する。この場合、ＣＷ１では、変調方式が１６ＱＡＭで符号化率ＲがＲ＝３／４としてあり、ストリーム数が２と多いため、ＲＶパラメータのビット数を２ビットに設定する。一方、ＣＷ２では、変調方式が１６ＱＡＭで符号化率ＲがＲ＝１／２としてあり、ストリーム数が１と少ないため、ＲＶパラメータのビット数を０ビットに設定する。これにより、再送時には２ストリーム送信が可能なＣＷ２においてＲＶパラメータのビット数を削減でき、両方のコードワード共に２ビットとした場合に比べて、２つのコードワード全体において合計２ビットのＲＶパラメータ用シグナリングのオーバヘッドを削減可能である。
【０１１８】
このように、初回送信時のストリーム数が少ないコードワードほどＲＶパラメータのビット数を少なく設定することによって、再送時にストリーム数を増やすことで未送信データをより多く送信できる可能性の高いコードワードにおけるＲＶパラメータ用のリソースを少なくすることができる。この場合、初回送信時のストリーム数が多いコードワードについては柔軟な再送制御の設定を可能としたまま、ストリーム数の増加によって対応可能であり、ＲＶパラメータの自由度を下げても影響の小さいコードワードに用いる下り方向のＲＶパラメータ用シグナリングのリソースを少なくできる。したがって、複数コードワード用再送制御のシグナリングオーバヘッドを小さくすることが可能となる。
【０１１９】
次に、第３の実施形態に係る無線通信システムの送信装置及び受信装置の具体例の構成を説明する。
【０１２０】
図１３は本発明の第３の実施形態で用いる送信装置の主要部の構成を示すブロック図、図１４は本発明の第３の実施形態で用いる受信装置の主要部の構成を示すブロック図である。
【０１２１】
第３の実施形態は第２の実施形態の一部を変更した例である。なお、第３の実施形態において第２の実施形態と同様の要素は同一の符号を付し、詳細な説明を省略する。
【０１２２】
図１３に示す送信装置は、図９の構成に対し、スケジューリング部１３０１、コードワード間ＲＶパラメータ用ビット数調整部１３０２、コードワード毎ＲＶパラメータ用ビット数保存部１３０３の動作が異なり、初回送信時のストリーム数に応じてＲＶパラメータ用ビット数を設定する構成である。ここで、本実施形態の送信装置において特徴的な動作の一つである、複数コードワードにおけるＲＶパラメータの設定動作について詳しく説明する。
【０１２３】
複数コードワードにおけるＲＶパラメータ用ビット数を設定する際、コードワード間ＲＶパラメータ用ビット数調整部１３０２は、ＲＶパラメータ用ビット数の総数を一定に保ちつつ、各コードワードにおける初回送信時のストリーム数を参照し、相対的にストリーム数の少ないコードワードほどＲＶパラメータ用ビット数が少なくなるよう、各コードワードのＲＶパラメータ用ビット数を設定する。そして、設定した各コードワードのＲＶパラメータ用ビット数の値をコードワード毎ＲＶパラメータ用ビット数保存部１３０３に出力して保存させる。
【０１２４】
スケジューリング部１３０１は、各コードワードの再送時に、コードワード毎ＲＶパラメータ用ビット数保存部１３０３に格納されているＲＶパラメータ用ビット数を参照して、該当するコードワードのＲＶパラメータを設定する。なお、コードワード間ＲＶパラメータ用ビット数調整部１３０２において各コードワードのＲＶパラメータを設定するようにしてもよい。また、制御信号生成部９１４は、スケジューリング部１３０１からコードワード間ＲＶパラメータ用ビット数調整部１３０２を介して受け取ったＲＶパラメータに基づき、コードワード間ＲＶパラメータ用ビット数調整部１３０２が指示するビット数を元に、ＲＶパラメータ情報を含む制御信号を生成する。
【０１２５】
また、スケジューリング部１３０１は、ストリーム数の少ないコードワードで再送が発生した場合、再送回数が多くなるほどストリーム数が多くなるよう送信パラメータにおけるストリーム数を設定する。これにより、図１２の例のように、初回送信時のストリーム数の少ないコードワードにおいて、ＲＶパラメータ用ビットが少なくても、変調方式及び符号化率はそのままとした状態で、再送時のストリーム数を増加させてより多くの未送信データを送信可能にできる。
【０１２６】
図１４に示す受信装置は、図１０の構成に対し、ＲＶパラメータ識別部１４０１の動作が異なるとともに、初回ストリーム数保存部１４０２を備えており、初回送信時のストリーム数に応じてＲＶパラメータ用ビット数及びＲＶパラメータを識別する構成である。ここで、本実施形態の受信装置において特徴的な動作の一つである、複数コードワードにおけるＲＶパラメータの識別動作について詳しく説明する。
【０１２７】
ＲＶパラメータ識別部１４０１は、初回送信時において、制御信号復調部１０３４から受け取った各コードワードの初回送信時の送信パラメータからストリーム数を抽出し、初回ストリーム数保存部１４０２に格納させる。そして、ＲＶパラメータ識別部１４０１は、制御信号復調部１０３４から送信回数を受け取り、再送の場合には、初回ストリーム数保存部１４０２に記憶してある初回送信時のストリーム数を参照し、初回送信時のストリーム数によって各コードワードのＲＶパラメータ用ビット数を算出する。次いで、ＲＶパラメータ識別部１４０１は、前記算出したＲＶパラメータ用ビット数に基づき、コードワード毎に、該当ビット数のリソースに割り当てられた今回送信時のＲＶパラメータを復調して識別し、このＲＶパラメータを復号部１０３６に出力する。なお、ＲＶパラメータ識別部１４０１において初回送信時のストリーム数に基づいてＲＶパラメータ用ビット数を算出し、初回ストリーム数保存部１４０２には初回送信時のストリーム数の代わりにＲＶパラメータ用ビット数の情報を保存するようにしてもよい。
【０１２８】
なお、上記設定例ではコードワード間のストリーム数の順位に応じて相対的にＲＶパラメータ用ビット数を決定する例を挙げたが、第１の実施形態と同様にコードワード毎で個別にストリーム数に応じたビット数設定とした後に、全コードワードでのＲＶパラメータ用ビット数の合計が所定のビット数となるよう調整することもできる。
【０１２９】
上述したように、第３の実施形態では、複数コードワードを用いた適応ＭＣＳ制御において、各コードワードの伝搬路品質測定結果に応じてＭＣＳを設定し、初回送信時のストリーム数に応じて、各コードワードの再送制御用のＲＶパラメータのビット数を設定する。この際、初回送信時のストリーム数が少ないコードワードほど、ＲＶパラメータのビット数を少なく設定する。これにより、初回送信時のストリーム数が多いコードワードには柔軟な再送制御の設定を可能としたまま、再送時にストリーム数を増やすことで未送信データをより多く送信できる可能性の高いコードワードに用いるＲＶパラメータ通知のためのシグナリングのリソースを削減でき、複数コードワードのＲＶパラメータ用シグナリングのオーバヘッドを小さくできる。この結果として、複数コードワード使用時の再送制御用のリソースの無駄を省くことができ、スループットを向上できる。
【０１３０】
なお、上述の実施形態においては、ＲＶパラメータ用ビット数は０〜２ビットの例を示したが、２より大きいビット数を用いる場合も同様に適用可能である。また、複数のコードワードを用いる場合は、２つまたは３つの例を示したが、コードワードの数については、４つや８つなど、アンテナ数やビーム数などに応じて増減した場合においても同様に適用可能である。
【０１３１】
また、上述したように、本発明に係る無線通信装置は、移動体通信システムにおける移動局装置（通信端末装置）及び基地局装置に搭載することが可能であり、これにより上記と同様の作用効果を有する無線通信移動局装置、無線通信基地局装置、及び移動体通信システムを提供することができる。
【０１３２】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【０１３３】
上記各実施形態では、本発明をハードウェアで構成する場合を例にとって説明したが、本発明はソフトウェアで実現することも可能である。
【０１３４】
また、上記各実施形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３５】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１３６】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１３７】
本開示に係る実施形態の種々の態様として、以下のものが含まれる。
【０１３８】
通信相手装置からの伝搬路品質測定結果を受け取る伝搬路品質取得部と、前記伝搬路品質測定結果に応じて符号化率を含むＭＣＳを設定するＭＣＳ設定部と、前記ＭＣＳに応じて送信用のデータを符号化する符号化部と、前記通信相手装置からの応答信号に基づいて送信したデータの再送制御を行う再送制御部と、初回送信時の符号化率に応じて再送制御用パラメータのビット数を設定するもので、前記符号化率が小さいほどビット数を少なくするパラメータビット数設定部と、前記設定されたビット数を用いて前記再送制御用パラメータを設定する再送制御用パラメータ設定部と、前記ＭＣＳ及び前記再送制御用パラメータを含む制御情報を有する制御信号を生成する制御信号生成部と、前記制御信号及び前記符号化後のデータを前記通信相手装置に送信する送信処理部と、を備える無線通信装置。
【０１３９】
これにより、符号化率が小さく再送制御用パラメータの制御粒度が粗くても良い場合に、再送制御用パラメータのビット数を少なくすることで再送制御に関するパラメータの送信に用いるリソースを削減できる。このため、再送制御用のシグナリングのオーバヘッドを小さくしてスループットを向上させることが可能となる。
【０１４０】
上記の無線通信装置であって、前記パラメータビット数設定部は、前記初回送信時の符号化率が所定値以下の場合に、再送制御用パラメータのビット数を前記符号化率が所定値以上の場合よりも少なく設定する無線通信装置。
上記の無線通信装置であって、前記パラメータビット数設定部は、前記初回送信時の符号化率が所定値以下の場合に、再送制御用パラメータのビット数を０ビットに設定する無線通信装置。
【０１４１】
上記の無線通信装置であって、当該無線通信装置は複数のコードワードを用いて通信を行うものであり、前記ＭＣＳ設定部は、前記複数のコードワード毎にＭＣＳを設定し、前記パラメータビット数設定部は、前記複数のコードワードにおいて、前記初回送信時の符号化率が小さいコードワードほど前記再送制御用パラメータのビット数を少なく設定する無線通信装置。
【０１４２】
これにより、初回送信時の符号化率が大きく未送信データの多いコードワードには柔軟な再送制御の設定を可能としたまま、再送制御用パラメータの自由度を下げても影響の小さいコードワードにおいては再送制御用パラメータの送信に用いるリソースを削減できる。このため、複数コードワードの再送制御用のシグナリングのオーバヘッドを小さくしてスループットを向上させることが可能となる。
【０１４３】
上記の無線通信装置であって、前記パラメータビット数設定部は、前記再送制御用パラメータのビット数の総数を一定としつつ、前記複数のコードワード間でビット数を調整し、前記初回送信時の符号化率が小さいコードワードのビット数を少なく設定する無線通信装置。
上記の無線通信装置であって、前記パラメータビット数設定部は、前記初回送信時の符号化率が所定値以下のコードワードのビット数を０ビットに設定する無線通信装置。
【０１４４】
上記の無線通信装置であって、当該無線通信装置は複数のコードワードにおいて複数のストリームを用いて通信を行うものであり、前記複数のコードワード毎のストリーム数を設定するストリーム数設定部を備え、前記パラメータビット数設定部は、前記複数のコードワードにおいて、初回送信時のストリーム数が少ないコードワードほど前記再送制御用パラメータのビット数を少なく設定する無線通信装置。
【０１４５】
これにより、初回送信時のストリーム数が多いコードワードには柔軟な再送制御の設定を可能としたまま、再送時にストリーム数を増やすことで未送信データをより多く送信できる可能性の高いコードワードにおいては再送制御用パラメータの送信に用いるリソースを削減できる。このため、複数コードワードの再送制御用のシグナリングのオーバヘッドを小さくしてスループットを向上させることが可能となる。
【０１４６】
上記の無線通信装置であって、前記パラメータビット数設定部は、前記再送制御用パラメータのビット数の総数を一定としつつ、前記複数のコードワード間でビット数を調整し、前記初回送信時のストリーム数が小さいコードワードのビット数を少なく設定する無線通信装置。
上記の無線通信装置であって、前記パラメータビット数設定部は、前記初回送信時のストリーム数が所定値以下のコードワードのビット数を０ビットに設定する無線通信装置。
【０１４７】
通信相手装置との間の伝搬路品質を測定して伝搬路品質測定結果を通知する伝搬路品質通知部と、前記通信相手装置からの制御信号及びデータを受信する受信処理部と、前記制御信号内の制御情報における、符号化率を含むＭＣＳを取得し、初回送信時の符号化率の情報を格納する制御情報格納部と、前記初回送信時の符号化率に応じて設定された再送制御用パラメータのビット数を識別し、前記制御情報に含まれる再送制御用パラメータを復調する再送制御用パラメータ復調部と、前記再送制御用パラメータに基づいて受信したデータの復号を行う復号部と、を備える無線通信装置。
【０１４８】
これにより、符号化率が小さい場合に再送制御用パラメータのビット数を少なくすることで、再送制御に関するパラメータの送信に用いるリソースを削減でき、再送制御用のシグナリングのオーバヘッドを小さくしてスループットを向上させることが可能となる。受信側では、この再送制御用パラメータを的確に識別して再送時の復号等を行うことができる。
【０１４９】
上記の無線通信装置であって、当該無線通信装置は複数のコードワードを用いて通信を行うものであり、前記制御情報格納部は、前記複数のコードワード毎の制御情報を格納し、前記再送制御用パラメータ復調部は、前記複数のコードワードにおいて、前記初回送信時の符号化率に応じて設定された再送制御用パラメータのビット数を識別し、前記再送制御用パラメータを復調する無線通信装置。
【０１５０】
これにより、符号化率が小さく再送制御用パラメータの自由度を下げても影響の小さいコードワードにおいては再送制御用パラメータの送信に用いるリソースを削減でき、複数コードワードの再送制御用のシグナリングのオーバヘッドを小さくしてスループットを向上させることが可能となる。受信側では、この再送制御用パラメータを的確に識別して各コードワードの再送時の復号等を行うことができる。
【０１５１】
上記の無線通信装置であって、当該無線通信装置は複数のコードワードにおいて複数のストリームを用いて通信を行うものであり、前記制御情報格納部は、前記複数のコードワード毎の制御情報を格納し、前記再送制御用パラメータ復調部は、前記複数のコードワードにおいて、前記初回送信時のストリーム数に応じて設定された再送制御用パラメータのビット数を識別し、前記再送制御用パラメータを復調する無線通信装置。
【０１５２】
これにより、初回送信時のストリーム数が少なく再送時にストリーム数を増やすことで未送信データをより多く送信できる可能性の高いコードワードにおいては再送制御用パラメータの送信に用いるリソースを削減でき、複数コードワードの再送制御用のシグナリングのオーバヘッドを小さくしてスループットを向上させることが可能となる。受信側では、この再送制御用パラメータを的確に識別して各コードワードの再送時の復号等を行うことができる。
【０１５３】
上記いずれかに記載の無線通信装置を備える無線通信基地局装置。
上記いずれかに記載の無線通信装置を備える無線通信移動局装置。
【０１５４】
通信相手装置である受信装置からの伝搬路品質測定結果を受け取る伝搬路品質取得部と、前記伝搬路品質測定結果に応じて符号化率を含むＭＣＳを設定するＭＣＳ設定部と、前記ＭＣＳに応じて送信用のデータを符号化する符号化部と、前記受信装置からの応答信号に基づいて送信したデータの再送制御を行う再送制御部と、初回送信時の符号化率に応じて再送制御用パラメータのビット数を設定するもので、前記符号化率が小さいほどビット数を少なくするパラメータビット数設定部と、前記設定されたビット数を用いて前記再送制御用パラメータを設定する再送制御用パラメータ設定部と、前記ＭＣＳ及び前記再送制御用パラメータを含む制御情報を有する制御信号を生成する制御信号生成部と、前記制御信号及び前記符号化後のデータを前記受信装置に送信する送信処理部と、を備える送信装置と、
前記送信装置との間の伝搬路品質を測定して伝搬路品質測定結果を通知する伝搬路品質通知部と、前記送信装置からの制御信号及びデータを受信する受信処理部と、前記制御信号内の制御情報における、符号化率を含むＭＣＳを取得し、初回送信時の符号化率の情報を格納する制御情報格納部と、前記初回送信時の符号化率に応じて設定された再送制御用パラメータのビット数を識別し、前記制御情報に含まれる再送制御用パラメータを復調する再送制御用パラメータ復調部と、前記再送制御用パラメータに基づいて受信したデータの復号を行う復号部と、を備える受信装置と、
を有する無線通信システム。
【０１５５】
通信相手装置からの伝搬路品質測定結果を受け取る伝搬路品質取得ステップと、前記伝搬路品質測定結果に応じて符号化率を含むＭＣＳを設定するＭＣＳ設定ステップと、前記ＭＣＳに応じて送信用のデータを符号化する符号化ステップと、前記通信相手装置からの応答信号に基づいて送信したデータの再送制御を行う再送制御ステップと、初回送信時の符号化率に応じて再送制御用パラメータのビット数を設定するもので、前記符号化率が小さいほどビット数を少なくするパラメータビット数設定ステップと、前記設定されたビット数を用いて前記再送制御用パラメータを設定する再送制御用パラメータ設定ステップと、前記ＭＣＳ及び前記再送制御用パラメータを含む制御情報を有する制御信号を生成する制御信号生成ステップと、前記制御信号及び前記符号化後のデータを前記通信相手装置に送信する送信処理ステップと、を有する無線通信方法。
【０１５６】
通信相手装置との間の伝搬路品質を測定して伝搬路品質測定結果を通知する伝搬路品質通知ステップと、前記通信相手装置からの制御信号及びデータを受信する受信処理ステップと、前記制御信号内の制御情報における、符号化率を含むＭＣＳを取得し、初回送信時の符号化率の情報を格納する制御情報格納ステップと、前記初回送信時の符号化率に応じて設定された再送制御用パラメータのビット数を識別し、前記制御情報に含まれる再送制御用パラメータを復調する再送制御用パラメータ復調ステップと、前記再送制御用パラメータに基づいて受信したデータの復号を行う復号ステップと、を有する無線通信方法。
【０１５７】
本出願は、２００８年３月１２日出願の日本特許出願（特願２００８−０６２６８０）、に基づくものであり、その内容はここに参照として取り込まれる。
【産業上の利用可能性】
【０１５８】
本発明は、再送制御に関するパラメータの送信に用いるリソースを削減でき、再送制御用のシグナリングのオーバヘッドを小さくしてスループットを向上させることが可能となる効果を有し、セルラーシステム等の無線通信システムに適用可能な無線通信装置、特に、再送制御機能を持つ無線通信装置、無線通信システム及び無線通信方法等として有用である。
【符号の説明】
【０１５９】
１０１  無線基地局
１０２  ユーザ端末
３１１、９１１  符号化部
３１２、９１２  レート・マッチング部
３１３  ＲＶパラメータ用ビット数設定部
３１４、９１４  制御信号生成部
３１５  多重部
３１６、９１６ａ、９１６ｂ  送信ＲＦ部
３１７、９１７ａ、９１７ｂ  アンテナ
３１８、９１８  受信ＲＦ部
３１９、９１９  分離部
３２０、９２０  復調・復号部
３２１、９２１  ＣＲＣ検査部
３２２、９２２  Ａｃｋ／Ｎａｃｋ信号復調部
３２３、９２３  ＣＱＩ復調部
３２４、９２４、１３０１  スケジューリング部
４３１、１０３１ａ、１０３１ｂ  アンテナ
４３２、１０３２ａ、１０３２ｂ  受信ＲＦ部
４３３、１０３３  チャネル推定部
４３４、１０３４  制御信号復調部
４３５  復調部
４３６、１０３６  復号部
４３７、１０３７、１４０１  ＲＶパラメータ識別部
４３８、１０３８  初回ＭＣＳ保存部
４３９、１０３９  尤度保存部
４４０、１０４０  ＣＲＣ検査部
４４１、１０４１  ＳＩＮＲ測定部
４４２、１０４２  フィードバック情報生成部
４４３、１０４３  Ａｃｋ／Ｎａｃｋ生成部
４４４、１０４４  符号化部
４４５、１０４５  多重部
４４６、１０４６  送信ＲＦ部
９１３、１３０２  コードワード間ＲＶパラメータ用ビット数調整部
９１５  ＭＩＭＯ多重部
９２５、１３０３  コードワード毎ＲＶパラメータ用ビット数保存部
１０３５  ＭＩＭＯ復調部
１４０２  初回ストリーム数保存部
【図１】
0005473092.tif 000002
【図２】
0005473092.tif 000003
【図３】
0005473092.tif 000004
【図４】
0005473092.tif 000005
【図５】
0005473092.tif 000006
【図６】
0005473092.tif 000007
【図７】
0005473092.tif 000008
【図８】
0005473092.tif 000009
【図９】
0005473092.tif 000010
【図１０】
0005473092.tif 000011
【図１１】
0005473092.tif 000012
【図１２】
0005473092.tif 000013
【図１３】
0005473092.tif 000014
【図１４】
0005473092.tif 000015
【図１５】
0005473092.tif 000016
【図１６】
0005473092.tif 000017